(57)【要約】【課題】再利用時の再利用時に潜像担持体上で所定の光学特性を得るための調整作業を簡素化することができる光走査装置および画像形成装置を提供する。【解決手段】光源４６からポリゴンスキャナまでの光路上に、コリメートレンズ５２、偏光子５０１、シリンドリカルレンズ５３を配置し、光源４６の直線偏光を、偏光子５０１に入射させることにより出射光の光強度を調整して光走査する書込ユニット４において、コリメートレンズ５２と偏光子５０１とを中間部材１２０で保持した。【選択図】図８
2014059337.tif 000002
【特許請求の範囲】
【請求項１】
光源と、該光源から照射対象物までの間の光路上に配置された光学系部品および偏光子と、該光源、該光学系部品、該偏光子を収納するハウジングとを備えた光走査装置において、
上記光学系部品が光軸を中心に回転させても光学特性が変化しない光学素子であり、上記光学系部品と上記偏光子とを保持し、上記ハウジングに固定される保持部材を備えたことを特徴とする光走査装置。
【請求項２】
請求項１の光走査装置において、上記光源として面発光素子を用いたことを特徴とする光走査装置。
【請求項３】
請求項１または２のいずれかの光走査装置において、上記保持部材はリング形状であり、内周面から突出し、上記光学系部品が接着固定される光学系部品接着部を備えたことを特徴とする光走査装置。
【請求項４】
請求項１、２または３のいずれかの光走査装置において、上記保持部材はリング形状であり、内周面から突出し、上記光学系部品の外周面に当接して該光学系部品を挟持する複数の光学系部品挾持部を備え、上記光学系部品挾持部は、上記光学素子の光軸中心を通る弦に対して片側となる円周上の２箇所に配置され、かつ、２箇所の光学系部品挾持部で形成される円弧の中点に対して光軸中心として点対称の位置に該光学素子に押し当てる押し当て手段を備えたことを特徴とする光走査装置。
【請求項５】
請求項１、２、３または４のいずれかの光走査装置において、上記保持部材は、上記偏光子が取り付けられる偏光子取り付け部を備え、前記偏光子取り付け部は、光軸方向に対して垂直な面であることを特徴とする光走査装置。
【請求項６】
請求項１、２、３、４または５のいずれかの光走査装置において、上記保持部材は、上記光学系部品の光軸方向の長さよりも長い部分を備えたことを特徴とする光走査装置。
【請求項７】
請求項１、２、３、４、５または６のいずれかの光走査装置において、上記保持部材の上記ハウジング接着部の表面積を、該ハウジング接着部が接着されるハウジング側の接着面の表面積よりも大きくしたことを特徴とする光走査装置。
【請求項８】
請求項１、２、３、４、５または６のいずれかの光走査装置において、上記保持部材を、紫外線透過率の高い材質で形成したことを特徴とする光走査装置。
【請求項９】
潜像を担持する潜像担持体と、光走査によって該潜像担持体の表面に潜像を形成する光走査手段と、該潜像担持体に担持された潜像を現像する現像手段とを備える画像形成装置において、
上記光走査手段として、請求項１乃至８のいずれかの光走査装置を用いたことを特徴とする画像形成装置。
【発明の詳細な説明】
【技術分野】
【０００１】
本発明は、光走査装置および画像形成装置に関するものである。
【背景技術】
【０００２】
複写機、プリンタ、ファクシミリ等の画像形成装置として、潜像担持体上に画像情報に応じた書込光を偏向走査することにより照射して潜像担持体上に潜像を形成し、この潜像を現像して画像を得るものが知られている。書込光を偏向走査する光走査装置は、一般に、光源から照射された光が、コリメートレンズ等の光学系部品等により所定の形状に成形されて回転多面鏡たるポリゴンミラーに入射する。ポリゴンミラーに入射した光は、偏向走査され、走査レンズ、反射ミラー等の光学系部品等を通って、潜像担持体上に照射される。
【０００３】
このような光走査装置では、潜像担持体上で所望の光学特性を得るよう、光学系部品の取り付け時に、被走査面上で光学特性をモニタしながら、光学系部品の配置位置・姿勢調整をおこなう。そして、光学特性を良好な状態に保ったまま、光学系部品をハウジングに接着固定している。しかし、光源や光学系部品の特性のばらつきによっては、このような調整を行っても潜像担持体上を走査する走査光を所望の光強度にできない場合がある。
【０００４】
光源として、ＬＤ（レーザーダイオード）、ＬＤアレー等を用いた光走査装置では、ある程度のばらつきであれば、光源への電力を調整することで、潜像担持体上を走査する走査光を所望の光強度にすることができる。しかし、光源として面発光素子を用いた光走査装置では、ＬＤやＬＤアレー等と比較する出力レンジが狭いため、光源への電力を調整しても潜像担持体上を走査する走査光を所望の光強度にすることが難しい。
【０００５】
そこで、光源から照射された光を光路上で減光手段により減光することにより、潜像担持体上を走査する走査光を所望の光強度に調整する構成が知られている。
例えば、特許文献１には、光源として面発光素子を用い、光透過率が互いに異なる複数のＮＤ(Neutral  Density)フィルタ（減光フィルタ）を保持し、それらのいずれかをコリメートレンズとポリゴンミラーとの間の光路上に位置させるためのスライド機構を設けた光走査装置が記載されている。
また、特許文献２には、光源として面発光素子を用い、コリメートレンズとポリゴンミラーとの間の光路上に、偏光子を光軸回りに回転可能に設けた光走査装置が記載されている。
【発明の概要】
【発明が解決しようとする課題】
【０００６】
上記特許文献１の光走査装置では、スライド機構をスライドさせて、潜像担持体上を走査する走査光が所望の光強度となるようなＮＤフィルタを光路上に位置させることで、所望の光強度に調整する。かかる構成では、透過率の互いに異なる複数のＮＤフィルタを装置に搭載する必要がある。このため、部品点数の増大、部品管理の増大を招き、製造コストが高くなるという不具合が生じていた。
【０００７】
特許文献２の光走査装置では、偏光子を光軸回りに回転させて、偏光子の光学軸方向を調整して、偏光子を透過する光の光量を変化させることにより、潜像担持体上を走査する走査光を所望の光強度に調整する。偏光子に入射する光の振動方向と偏光子の光学軸とのなす角度をθとしたとき、偏光子から出射される偏光方向が変えられた光の光量（出射光量）は、入射光量のｃｏｓ２θとなる。このため、偏光子を回転させることで、偏光子に入射した光を回転角に応じた出射光量に調整することができる。
【０００８】
具体的には、偏光子はその外周を円形に加工しており、ハウジングに固定されたＶ字の溝を有する偏光子保持部材によって回転可能に保持されている。そして、光源より出射させた光を走査させながら、被走査面上で走査光の光強度を測定し、所望の光強度が得られるよう偏光子を光軸回りに回転させて、偏光子の光学軸方向を調整する。そして所望の光強度が得られた回転位置で、偏光子と偏光子保持部材とを接着することにより、偏光子をハウジングに固定する。かかる構成では、特許文献１の構成に較べて、部品点数の増大、部品管理の増大が抑制されるという点で優れている。
【０００９】
一方、近年、環境への影響を懸念し、リサイクル・リユースへの関心が強まっており、光走査装置を再利用するものが増えている。
例えば、寿命部品である光源のみを交換して光走査装置を再利用する場合は、光学系部品の再調整が必要である。また、上記偏光子を用いて潜像担持体上を走査する走査光の光強度を調整する構成は、光学系部品の再調整に加えて、偏光子の再調整も必要である。具体的には、光学系部品とハウジングとの固定を解除してから、光学系部品の配置位置・姿勢の調整をおこなってハウジングに接着固定する。次いで偏光子の固定を解除してから、偏光子を回転させて入射光の偏光方向と光学軸方向の調整をおこなって、偏光子保持部材に接着固定するという作業をおこなう。このため、光走査装置の再利用時の調整作業が煩雑になる。
また、光走査装置をユーザーから回収し、光学系部品と偏光子とを再利用する場合も、光学系部品と偏光子のそれぞれに対して、上記光源交換時と同様に、固定解除、および、調整・固定接着の作業が必要になる。このため、調整作業が煩雑になる。このように、特許文献２の偏光子を用いて光強度の調整をおこなう構成では、再利用時の調整作業が煩雑となるという不具合が生じていた。
【００１０】
なお、偏光子を用いて潜像担持体上を走査する走査光の光強度を調整する構成は、光源として面発光素子を用いた場合に限らず、ＬＤやＬＤアレー等の他の光源を用いた場合においても適用でき、同様の課題が生じる。
【００１１】
本発明は以上の問題に鑑みなされたものであり、その目的は、光学系部品と偏光子との再利用時に潜像担持体上で所定の光学特性を得るための調整作業を簡素化することができる光走査装置および画像形成装置を提供することである。
【課題を解決するための手段】
【００１２】
上記目的を達成するために、請求項１の発明は、光源と、該光源から照射対象物までの間の光路上に配置された光学系部品と、該光路上に配置され照射対象物上を走査する走査光の光強度を調整する偏光子と、該光源、該光学系部品、該偏光子を収納するハウジングとを備えた光走査装置において、上記光学系部品が光軸を中心に回転させても光学特性が変化しない光学素子であり、上記光学系部品と上記偏光子とを保持し、上記ハウジングに固定される保持部材を備えたことを特徴とするものである。
【発明の効果】
【００１３】
本発明によれば、保持部材に上記光学系部品と偏光子とを保持することで、光学系部品と偏光子との再利用時の調整作業を簡素化することができる。具体的に再利用時の調整作業を説明すると、先ず、光学系部品と偏光子とを保持する保持部材とハウジングとの固定を解除してハウジングから取り外す。次に、再利用に用いられるハウジングにおいて、保持部材の配置位置・姿勢を調整して光学系部品の配置位置・姿勢を調整し、保持部材を光軸を中心に回転させることで、光軸に対する偏光子の光学軸方向を調整する。光学系部品は、光軸を中心に回転させても光学特性が変化しない光学素子であるので、光軸と偏光子の光学軸との関係を所望の関係に調整するために、保持部材と一体で光学系部品が光軸を中心に回転しても、光学特性が変化することはない。そして、光学系部品の位置関係・姿勢の調整と、偏光子の回転調整が終了したら、保持部材をハウジングに固定する。
【００１４】
このように、本発明においては、光学系部品と偏光子との再利用時の調整作業において、保持部材をハウジングから取り外すことで、光学系部品と偏光子とのハウジングに対する固定を解除することができる。これは、従来の光学系部品と偏光子とのそれぞれを、個別でハウジングと固定解除をする場合に比べて、作業を簡素化することができる。また、光源と光学系部品の位置関係・姿勢の調整と、偏光子の回転調整とが終了したら、保持部材をハウジングに固定することで、光学系部品のハウジングへの再固定と偏光子のハウジングの再固定とを行うことができる。これは、従来の光学系部品と偏光子とのそれぞれを、個別でハウジングに再固定する場合に比べて、調整作業を簡素化することができる。これらにより、光学系部品と偏光子との再利用時に潜像担持体上で所定の光学特性を得るための調整作業を簡素化することができる。
【図面の簡単な説明】
【００１５】
【図１】実施形態に係るプリンタの概略構成図。
【図２】同プリンタにおけるＹ用の作像ステーションを示す概略構成図。
【図３】同プリンタおける光書込ユニットを４つの感光体とともに示す概略構成図。
【図４】同光書込ユニットの構成を示す概略上面図。
【図５】同光書込ユニットの第１筐体の斜視図。
【図６】図５の光書込ユニットにおける光源からポリゴンスミラーまでの構成を示す模式図。
【図７】偏光子の特性の説明図。
【図８】コリメートレンズと偏光子とを保持した中間部材の斜視図。
【図９】コリメートレンズと偏光子とを保持した中間部材の断面図。
【図１０】コリメートレンズと偏光子とを保持した中間部材を光軸方向出射面側から見た図。
【図１１】中間部材をチャック部材で挟持する様子を説明する斜視図。
【図１２】中間部材の第１筐体への取り付け方法を説明するため中間部材を光軸方向入射面側から見た図。
【図１３】２回目の接着時における中間部材とコリメートレンズとを光軸方向入射面側から見た図。
【図１４】中間部材を台座に装着する様子を説明する図。
【図１５】コリメートレンズ搭載部を別の態様とした中間部材を光軸方向入射面側から見た図。
【図１６】別の形態の中間部材を光軸方向入射面側から見た図。
【図１７】図１６の中間部材の断面図。
【図１８】さらに別の形態の中間部材とコリメートレンズの斜視図。
【図１９】図１８の中間部材の断面図。
【図２０】光源ユニットの概略斜視図。
【発明を実施するための形態】
【００１６】
以下、本発明を、電子写真方式のカラーレーザープリンタ（以下、単にプリンタという）に適用した実施形態について説明する。
図１は、本実施形態に係るプリンタの概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１７】
図２は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００１８】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光書込ユニット４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００１９】
光走査装置としての光書込ユニット４は光源を有しており、この光源から、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光書込ユニット４の詳しい説明は後述する。
【００２０】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００２１】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００２２】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００２３】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００２４】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００２５】
次に、光書込ユニット４の構成について説明する。
図３は、本実施形態に係るプリンタおける光書込ユニット４を、４つの感光体とともに示す概略構成図である。
図４は、光書込ユニット４の構成を示す概略上面図であり、図５は、第１筐体７０の概略斜視図である。
図３に示すように、光書込ユニット４は、回転偏向器たるポリゴンスキャナ５０、各種の反射ミラー、各種のレンズ等の光学系部品を備えている。ポリゴンスキャナ５０、各種の反射ミラーや各種のレンズ等の光学系部品は、光学ハウジング１３１に収納される。光学ハウジング１３１の上方の開口部を覆う筐体カバー１０７には、防塵ガラス４８Ｙ，４８Ｃ，４８Ｍ，４８Ｋが設けられている。
ハウジング１３１は、図４に示すように、光源から走査レンズ４３Ｙ、４３Ｃ、４３Ｍ、４３Ｋまでの間の光路上に設けられた光学系部品を収納する樹脂からなる第１筐体７０と、走査レンズ４３Ｙ、４３Ｃ、４３Ｍ、４３Ｋから感光体までの間の光路上に設けられた光学素子を収納する樹脂からなる第２筐体６０とで構成されている。
【００２６】
図５に示すように、第１筐体７０の略中央にポリゴンスキャナ５０が取り付けられ、ポリゴンスキャナ５０の回転中心を通り、ポリゴンスキャナ５０の回転軸方向に対して直交するように引いた一本の対称線に関して、線対称となるように光源４６、コリメートレンズ５２、図示しないアパーチャ、シリンドリカルレンズ５３、走査レンズ４３Ｙ、４３Ｍ、４３Ｃ，４３Ｋなどが取り付けられている。
【００２７】
図５に示すように、ポリゴンスキャナ５０は、正多角柱形状からなる２つの回転多面鏡たるポリゴンミラー４１ａ、４１ｂと、不図示のポリゴンモータと、ポリゴンモータの駆動を制御するための電子部品を搭載した回路基板１５０とで構成されている。これらポリゴンミラー４１ａ，４１ｂは、その６つの側面に反射鏡を有しており、互いに正多角柱の中心を重ねるようにして上下方向に接続されている。ポリゴンスキャナ５０は、第１筐体７０の防音壁５５で囲ったポリゴンスキャナ取り付け部にネジによって締結されている。防音壁５５の２箇所には切り欠きが設けられており、その切り欠きに防音ガラス４２ａ、４２ｂが取り付けられている。
【００２８】
光源４６は、第１筐体７０の側面７０ａに設けられた貫通孔７０ｂに取り付けられている。
【００２９】
また、Ｋ色の走査レンズ４３Ｋは、Ｍ色の走査レンズの真上に設けられており、Ｙ色の走査レンズ４３Ｙは、Ｃ色の走査レンズ４３Ｃの真上に設けられている。走査レンズ４３Ｙ、４３Ｍ、４３Ｃ，４３Ｋは、ポリゴンミラー４１ａ，４１ｂによりレーザ走査の等角度運動を等速直線運動へと変えるとともに、副走査方向にパワーを持ち（副走査方向に光を集光）、ポリゴンミラーの面倒れ補正を行う光学素子である。
【００３０】
図３に示すように、ポリゴンスキャナ５０の図中右側には、Ｍ用の光学系と、Ｋ用の光学系とが配設されている。ポリゴンスキャナ５０の図中左側には、Ｙ用の光学系と、Ｃ用の光学系とが配設されている。
【００３１】
また、図４に示すように、第１筐体７０は、ポリゴンスキャナ５０が、光書込ユニット４の略中央にくるように、第２筐体６０の略中央に取り付けられる。また、図３に示すように、蓋部材としての筐体カバー１０７の中央部は、開口しており、開口部からポリゴンスキャナ５０側に延びて、下端が、防音ガラス４２ａ，４２ｂの上面と防音壁５５の上面と当接する内壁部１０６が形成されている。そして、この筐体カバー１０７の開口部を覆うようにして蓋部材たる偏向器カバー１０５が取り付けられている。これにより、ポリゴンスキャナ５０は、ハウジング１３１の底面、防音ガラス４２ａ、４２ｂ、防音壁５５、内壁部１０６、偏向器カバー１０５とにより密閉される。
【００３２】
図６は、図５のＡ−Ａ断面図であり、光書込ユニット４における光源４６からポリゴンミラー４１までの構成を示す模式図である。
図６に示すように、光源４６からポリゴンミラー４１までの光路上には、コリメートレンズ５２、偏光子５０１、シリンドリカルレンズ５３が配置されている。偏光子５０１は、偏光子５０１に入射する直線偏光の偏光方向を変えることができる。図７に示すように、偏光子５０１に入射する光の振動方向と偏光子５０１の光学軸とのなす角度をθとしたとき、偏光子５０１から出射される偏光方向が変えられた光の光量は、入射光量のｃｏｓ２θとなる。つまり、直線偏光にて入射した光は、偏光子５０１を回転させることで、回転角に応じて出射光量の調整が可能となる。これにより、感光体１０の表面を走査する走査光を所望の光強度にすることができる。
【００３３】
本実施形態においては、高生産性、高画質化を目的とした画素密度を上げた高速機を実現するために、光源４６として、面発光素子(ＶＣＳＥＬ)を用いた。光源４６をＶＣＳＥＬにすることによって、高解像度の印字が可能になる。一方、ＬＤ、ＬＤアレーと比較すると、出力レンジが狭いため、光源への電力を調整することにより感光体１０の表面を走査する走査光を所望の光強度にすることが難しい。しかし、本実施形態においては、上述したように、偏光子５０１を用いて、感光体１０の表面を走査する走査光を所望の光強度にすることができる。これにより、高解像度の印字を実現しつつ、所定の光学特性を得ることができる。
【００３４】
なお、Ｙ色の感光体１０Ｙ、Ｃ色の感光体１０Ｃに光を照射するための光源４６からポリゴンミラーまでの構成は、上述したＫ色の感光体１０Ｋ、Ｍ色の感光体１０Ｍに光を照射するための光源４６からポリゴンミラーまでの構成と同じである。
【００３５】
各光源４６から出射された書込光は、コリメートレンズ５２により発散光束が平行光束に変換された後、偏光子５０１を通過することで光量が調整される。その後、シリンドリカルレンズ５３Ｙ，Ｍ，Ｃ，Ｋを透過することで、副走査方向（感光体表面上における感光体表面移動方向に相当する方向）に集光せしめられる。次いで、不図示のポリゴンモータによって高速回転される正六面体構造のポリゴンミラー４１ａ，４１ｂにおける６つの側面にそれぞれ形成された鏡面のうち、何れかで反射しながら主走査方向（感光体表面上における軸線方向に相当する方向）に偏向せしめられる。そして、走査レンズ４３Ｙ，Ｍ，Ｃ，Ｋによって、ポリゴンミラー４１ａ，４１ｂによって一定の角速度で主走査方向に偏向せしめられる光の偏向方向の移動速度を等速に変換されるとともに、副走査方向に集光して、ポリゴンミラー４１ａ，４１ｂの鏡面の倒れである所謂面倒れが補正される。
【００３６】
走査レンズ４３Ｙ，Ｍ，Ｃ，Ｋを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射ミラーに向かう。例えば、走査レンズ４３Ｙを透過したＹ用の書込光Ｌｙは、第１反射ミラー４４Ｙ、第２反射ミラー４５Ｙに反射することで、Ｙ用の感光体１０Ｙの表面に導かれていく。Ｃ，Ｍ，Ｋ用のレーザ光Ｌｃ，Ｌｍ，Ｌｋも同様にしてそれぞれ第１反射ミラー、第２反射ミラーに反射されることで、Ｃ，Ｍ，Ｋ用の感光体１０Ｃ，１０Ｍ，１０Ｋの表面に導かれていく。なお、第２反射ミラー４５Ｙ，Ｃ，Ｍ，Ｋの鏡面で反射したＹ，Ｃ，Ｍ，Ｋ用の書込光Ｌｙ，Ｌｃ，Ｌｍ，Ｌｋは、筐体カバー１０７に設けられた防塵ガラス４８Ｙ，４８Ｃ，４８Ｍ，４８Ｋを透過した後、感光体１０Ｙ，１０Ｍ，１０Ｃ，１０Ｋの表面に到達する。
【００３７】
次に、本実施形態の特徴部について説明する。
上記構成の光書込ユニット４においては、偏光子５０１を回転させることにより、光源４６から照射された直線偏光の光の振動方向（以下、光源偏光方向という）と、偏光子５０１の光学軸とがなす角度を調整することにより、出射光量の調整が可能である。これより、感光体１０の表面を走査する走査光を所望の光強度にするように、偏光子５０１の回転調整が必要となる。以下、本実施形態では、偏光子５０１による光量調整の狙いを、ＮＤフィルタの透過率仕様で、５０％透過率と、７０％透過率の２種類とする例で説明する。
【００３８】
光源４６の寿命や故障により光源４６を交換すると、光源４６の特性誤差、光源４６の取り付け誤差などにより、偏光子５０１への入射光の光強度が変化したり、光源偏光方向と偏光子５０１の光学軸との関係がずれたりする虞がある。このため、光源４６が交換されたときは、第１筐体７０に固定された偏光子５０１を第１筐体７０から取り外し、感光体１０の表面を走査する走査光を所望の光強度となるよう、偏光子５０１を回転調整して、再度、第１筐体７０に固定するという調整作業が必要となる。
【００３９】
また、光源４６が交換されると、コリメートレンズ５２と光源４６との位置関係が崩れてしまい、所定の光学特性が得られなくなってしまう。このため、所定の特性を得るために、コリメートレンズ５２の姿勢や位置の再調整も必要となる。そのため、コリメートレンズ５２を第１筐体７０から取り外して位置や姿勢を調整して第１筐体７０に再固定した後に、偏光子５０１を、第１筐体７０から取り外して調整し、第１筐体に再固定する必要があり、光源４６交換時の交換作業が煩雑になるという不具合があった。
【００４０】
本実施形態においては、コリメートレンズ５２と偏光子５０１とを同一の保持部材としての中間部材１２０で保持し、中間部材１２０を介してコリメートレンズ５２と偏光子５０１とが第１筐体７０の台座７０１に接着固定されるよう構成した。以下、図面を用いて具体的に説明する。
【００４１】
図８は、コリメートレンズ５２と偏光子５０１とを保持した中間部材１２０の斜視図である。図９は、コリメートレンズ５２と偏光子５０１とを保持した中間部材１２０の断面図である。図１０は、コリメートレンズ５２と偏光子５０１とを保持した中間部材１２０を光軸方向出射面側から見た図である。
保持部材としての中間部材１２０は円筒形状であり、外周面に４箇所、外周から突出したハウジング接着部１２１ａ、１２１ｂ、１２１ｃ、１２１ｄを備えている。ハウジング接着部１２１ａと１２１ｃとは、中心軸に対して点対称となる位置に配置されており、後述するように、偏光子５０１による光量調整が、ＮＤフィルタの透過率仕様で５０％の光量とする場合に用いられる。また、ハウジング接着部１２１ｂと１２１ｄとは、中心軸に対して点対称となる位置に配置されており、偏光子５０１による光量調整が、ＮＤフィルタの透過率仕様で７０％の光量とする場合に用いられる。中間部材１２０は、透明部材など紫外線を透過する部材で構成されている。
【００４２】
コリメートレンズ５２は、中間部材１２０の内周面に接着剤１２２により接着固定される。また、図９に示すように中間部材１２０を円筒形状にして、中間部材１２０の内周面にコリメートレンズ５２を固定したとき、中間部材１２０がコリメートレンズ５２の入射面や出射面よりも光軸方向に延設するような構成としている。これにより、中間部材１２０を光書込ユニット４から取り外して、一旦、机などに置いたとき、コリメートレンズ５２の光が入射する入射面や、光が出射する出射面が、机などに触れて、傷つくのを抑制することができる。図９は、中間部材１２０全体を光軸方向に延設させて、保護部としているが、少なくと一箇所、光軸方向に延設させて保護部としてもよい。このように、一箇所保護部を設けた構成でも、中間部材１２０を机などに置いたときに、この保護部の先端が、机に当接することにより、コリメートレンズ５２の入射面や出射面が、机などに触れることはない。
【００４３】
コリメートレンズ５２の中間部材１２０への固定は、コリメートレンズ５２の光軸方向に平行な面であるコバ面を保持して中間部材１２０に挿入する。次いで、コリメートレンズ５２と中間部材１２０との間の一部に紫外線硬化型の接着剤を充填し、光学部品接着層１２２に紫外線を照射し、コリメートレンズ５２を中間部材１２０に接着固定する。中間部材１２０は、紫外線を透過する部材で構成しているので、中間部材１２０を介して接着剤１２２に紫外線を照射することができ、容易にコリメートレンズ５２を中間部材１２０に接着固定することができる。
【００４４】
偏光子５０１は、中間部材１２０の偏光子取り付け部としてのポリゴンミラー側端面１２４に接着剤などにより固定されている。偏光子５０１を、光軸方向に対して垂直な面である中間部材１２０のポリゴンミラー側端面１２４に偏光子５０１を固定することで、偏光子５０１を、ポリゴンミラー側端面１２４に当接させるだけで、偏光子５０１を、中間部材１２０に対して位置決めすることができる。これにより、偏光子５０１の中間部材１２０に対する位置決めを容易に行うことができる。
【００４５】
また、図１０に示すように、偏光子５０は、光学軸Ａが、ハウジング接着部１２１ｂ、１２１ｄに対しては、光軸方向（図中Ｘ方向）回りにθ１回転した位置にくるように、中間部材１２０に取り付けられている。一方、ハウジング接着部１２１ａ、１２１ｃに対しては、光軸方向（図中Ｘ方向）回りにθ２回転した位置にくるように、中間部材１２０に取り付けられている。偏光子５０１による光量調整で、上記７０％透過率を得るためには、光源偏光方向（図７参照）と偏光子５０１の光学軸Ａとのなす角度θ１は、ｃｏｓ２（θ１）＝０．７を満足する、θ１＝３３．２°となる。また、上記５０％透過率を得るためには、光源偏光方向と偏光子５０１の光学軸Ａとのなす角度θ２は、ｃｏｓ２（θ２）＝０．５を満足するθ２＝４５°となる。
【００４６】
次に、中間部材１２０の第１筐体７０の台座７０１への取り付けについて説明する。中間部材１２０の台座７０１への取り付けは、中間部材１２０をチャック部材１４０で挟持しておこなう。
【００４７】
先ず、中間部材１２０を回転させて、光源偏光方向に対して偏光子５０１の光学軸Ａを、光軸（図中Ｘ軸方向）回りに調整する。具体的な調整は、被走査面上で光強度をモニタリングしながら、中間部材１２０を回転させる。
【００４８】
偏光子５０１は、ハウジング接着部１２１ａ、１２１ｃに対して、光源偏光方向が光軸方向回りに、ｃｏｓ２（θ２）＝０．５を満足するθ２＝４５°回転した位置にくるように、中間部材１２０に取り付けられている。また、ハウジング接着部１２１ｂ、１２１ｄに対して、光源偏光方向が光軸方向回りに、ｃｏｓ２（θ１）＝０．７を満足するθ２＝３３．２°回転した位置にくるように、中間部材１２０に取り付けられている。このため、この光軸回りの調整により、５０％透過率で所望の光量が得られる場合は、台座７０１にハウジング接着部１２１ａまたはハウジング接着部１２１ｃが対向する。一方、７０％の透過率で所望の光量が得られる場合は、台座７０１にハウジング接着部１２１ｂまたはハウジング接着部１２１ｄが対向する。
【００４９】
図１１は、中間部材１２０をチャック部材１４０で挟持する様子を説明する斜視図であり、図１２は、中間部材１２０の第１筐体７０への取り付け方法を説明するため中間部材１２０を光軸方向入射面側から見た図である。
例えば、台座７０１に対してハウジング接着部１２１ａが対向する場合は、チャック部材１４０は、ハウジング接着部１２１ａと光軸方向に垂直な面上で直交する方向で、光軸に対して点対称な外周面１３０ｂ、１３０ｄを挾持する。チャック部材１４０で挾持された状態で、中間部材１２０は、光軸方向（Ｘ方向）、副走査方向（第１筐体の台座面に対して垂直方向（Ｚ方向）、主走査方向（光軸方向、副走査方向のいずれにも直交する方向：Ｙ方向）に調整可能である。また、光軸方向回りにも調整可能となっている。
【００５０】
上記光軸回りの調整により、例えばハウジング接着部１２１ａを対向させた後、光学特性をモニタリングしながら、走査光が感光体１０上で所定の光学特性が得られるようにチャック部材１４０を動かして、配置位置、姿勢調整を行う。
【００５１】
さらに、中間部材１２０をわずかに（数度程度）光軸回りに回転させれば、光源偏光方向に対して偏光子５０１の光学軸方向を微調整することができる。
【００５２】
偏光子５０１の回転調整およびコリメートレンズ５２の位置および姿勢調整が終了したら、ハウジング接着部１２１ａと台座７０１との間に紫外線硬化型の接着剤１２３を充填した後、紫外線を照射し、中間部材１２０を台座７０１に接着固定する。上記では、コリメートレンズ５２の位置および姿勢調整と偏光子５０１の回転調整を行った後に接着剤１２３を充填しているが、接着剤１２３を充填した後にコリメートレンズ５２の位置および姿勢調整と偏光子５０１の回転調整を行ってもよい。
【００５３】
中間部材１２０は、紫外線を透過する部材で構成されているので、中間部材１２０を介して接着剤１２３に紫外線を照射することができ、容易に中間部材１２０を台座７０１に接着固定することができる。中間部材１２０を接着固定したら、チャック部材１４０を取り外す。
【００５４】
偏光子５０１による光量調整が５０％透過率を狙いとなる場合は、上述のように、中間部材１２０を回転させて、ハウジング接着部１２１ａ、または、ハウジング接着部１２１ｃを台座７０１に対向させて、上記配置位置、姿勢調整作業及び、固定作業をおこなう。一方、偏光子５０１による光量調整が７０％透過率を狙いとなる場合は、中間部材１２０を回転させて、ハウジング接着部１２１ａ、または、ハウジング接着部１２１ｃを台座７０１に対向させて、上記配置位置、姿勢調整作業及び、固定作業をおこなう。
【００５５】
このように本実施形態の中間部材１２０は、偏光子５０１の回転調整作業、および、コリメートレンズ５２の位置および姿勢の調整作業、偏光子５０１の回転調整作業および中間部材１２０の固定作業を精度良く容易におこなうことができる。また、コリメートレンズ５２と偏光子５０１を台座７０１に一括で接着固定することができる。これにより、コリメートレンズ５２、偏光子５０１を個別に台座７０１に接着固定する場合に比べて、接着固定作業を簡素化することができる。
【００５６】
本実施形態においては、コリメートレンズ５２と偏光子５０１とを中間部材１２０で保持し、一つのユニットとして構成することで、コリメートレンズ５２と、偏光子５０１とを別々としたものに比べて、調整作業を簡素化することができる。
【００５７】
また、偏光子５０１の回転調整をした後に、コリメートレンズ５２の位置および姿勢調整をするのが好ましい。これは、中間部材１２０の中心軸とコリメートレンズ５２の中心軸とが、組付け誤差などによりずれる場合がある。このため、コリメートレンズ５２の姿勢および位置を調整した後に、中間部材１２０を回転させて偏光子５０１の調整をおこなった場合、中間部材１２０の中心軸とコリメートレンズ５２の中心軸とがずれていると、光軸とコリメートレンズの中心軸とがずれてしまい、所定の光学特性が得られなくなってしまうからである。
【００５８】
光源４６に寿命などがきて交換された場合、光源４６とコリメートレンズ５２との位置関係が崩れてしまうため、コリメートレンズ５２の位置や姿勢の再調整が必要となる。また、光源４６の出力特性が変化して偏光子５０１への入射光の光強度が変化し、偏光子５０１の光学軸と光源偏光方向との関係も崩れてしまうため、偏光子の光軸方向回りの再調整が必要となる。
【００５９】
このときは、中間部材１２０を掴んで、力を加えることで、台座７０１から中間部材１２０を剥離する。このように、コリメートレンズ５２と偏光子５０１を第１筐体７０から一度に取り外すことができる。これにより、コリメートレンズ５２と偏光子５０１とを個別に取り外す場合に比べて、光源交換時の調整作業を簡素化することができる。また、コリメートレンズ５２や偏光子５０１を直接掴むことがない。よって、コリメートレンズ５２や偏光子５０１の光の入射面や、出射面に指などが触れるのを抑制することができ、コリメートレンズ５２や偏光子５０１の入射面や、出射面が傷つくのを抑制することができる。また、台座７０１から剥離するとき、コリメートレンズ５２や偏光子５０１にストレスが加わることもない。その結果、コリメートレンズ５２や偏光子５０１を第１筐体から取り外すときにコリメートレンズ５２や偏光子５０１の特性が変化するのを抑制することができる。
【００６０】
また、光書込ユニット４がユーザーから回収され、コリメートレンズ５２と偏光子５０１とをリサイクルする場合にも、本実施形態は有利である。
光書込ユニット４がユーザーから回収され、コリメートレンズ５２と偏光子５０１とをリサイクルする場合も、中間部材１２０を掴んで、力を加えることで、台座７０１から中間部材１２０を剥離し、使用済みの光書込ユニット４から回収する。このとき、上述したように、偏光子５０１やコリメートレンズ５２が傷ついたり、ストレスが加わったりすることがない。そして、別の光書込ユニット４に用いるときは、前回とは、異なるハウジング接着部１２１ｂ、１２１ｃ、１２１ｄのいずれか一つを、台座７０１に対向させて、接着固定する。
【００６１】
本実施形態においては、中間部材１２０は、偏光子５０１による光量調整が５０％透過率とする場合に用いるハウジング接着部として、ハウジング接着部１２１ａ、１２１ｃの２つを備えている。また、偏光子５０１による光量調整が７０％透過率とする場合に用いるハウジング接着部として、ハウジング接着部１２１ｂ、１２１ｄの２つを備えている。
このため、コリメートレンズ５２と偏光子５０１とを再利用するときや光書込ユニット４に再接着するときは、接着剤などが付着していないハウジング接着部をハウジングとの接着固定に用いることができる。これにより、ハウジング接着部１２１を台座７０１に強固に接着固定することができる。一方、接着剤１２３が付着したハウジング接着部１２１ａを再度使用した場合、接着層１２３によりハウジング接着部１２１ａと台座７０１との間の隙間がほとんどなくなり、接着に十分な接着剤を充填させることができず、中間部材１２０を台座７０１に強固に固定することができない。その結果、振動などによって、市場で中間部材１２０が台座７０１から剥離するおそれがある。また、接着層１２３が副走査方向（第１筐体７０の台座面に対して垂直方向）の調整を阻害し、精度のよい調整を行うことができない。
【００６２】
また、ハウジング接着部１２１ｂを台座７０１へ取り付ける際、外周部のハウジング接着部１２１ｂと光軸方向と垂直な面上で直交する方向で、光軸に対して点対称な外周面からなる挾持部１３０ａ、１３０ｃをチャック部材１４０で挾持して、上記調整作業および接着固定作業をおこなう。
【００６３】
また、中間部材１２０の挾持部は、リング形状の中間部材の外周面を形成する曲面であったが、リング形状の曲面の一部をカットして平面としてもよい。このように挾持部１３０ａ、１３０ｂ、１３０ｃ、１３０ｄ０を平面で形成することにより、曲面で形成した場合に較べて、さらに安定して中間部材１２０を挾持することができる。
【００６４】
また、挾持部は上述の形態に限らず、中間部材１２０の外周面上で、外周面上に配置されるハウジング接着部１２１ａ、１２１ｂ、１２１ｃ、１２１ｄと光軸方向に関して異なる位置に配置される面であれば構わない。例えば、中間部材１２０の外周面上で、外周面上に配置されるハウジング接着部１２１ａ、１２１ｂ、１２１ｃ、１２１ｄと光軸方向に関して異なる位置に配置される突起形状でも構わない。また、上述のように外周部のハウジング接着部１２１と光軸方向と垂直な面上で直交する方向に配置された挾持部を挾持することでさらに安定した挾持を可能としているが、直交する方向に配置されたものに限らない。また、上述のように、光軸に対して点対称となるよう外周面上に設けられた挾持部１３０を挾持することによりさらに安定した挾持を可能としているが、点対称となるものに限らない。
【００６５】
さらに、中間部材１２０は、リング状で、外周面に、偏光子５０１による光量調整が５０％透過率を達成する位置にハウジング接着部１２１ａ、１２１ｃを設け、７０％透過率を達成する位置に、ハウジング接着部１２１ｂ、１２１ｄを設けたもので説明したが、上記形状に限らない。
【００６６】
また、光源４６交換時におけるコリメートレンズの再調整と偏光子５０１の再調整をするために中間部材１２０を台座７０１から剥離したとき、接着剤１２３が台座７０１に残ると、再度、中間部材１２０を台座７０１に接着固定できなくなり、光書込ユニット４として再利用できなくなる。このため、本実施形態においては、中間部材１２０を筐体７０から剥離したとき、接着剤１２３が中間部材１２０に付着するように構成している。具体的には、図１４に示すようにハウジング接着部１２１の接着面を凹凸にして、台座７０１の接着座面よりも表面積を大きくする。これにより、中間部材１２０を台座７０１から剥離したとき、接着剤１２３が中間部材１２０側に付着し、台座７０１に接着剤１２３を残さないようにすることができる。
【００６７】
また、図９に示すように、コリメートレンズ５２を中間部材１２０のリング形状の内周面に直接、接着固定する方法の他、以下のものが挙げられる。
図１５は、中間部材１２０の内周面にコリメートレンズ５２を固定する機構の他の例であり、中間部材１２０を光軸方向入射面側から見た図である。
図１５に示すように、中間部材１２０の内周面にコリメートレンズ５２を接着固定するために、内周面から突出した光学系部品接着部（突起部）１２４を設けてもよい。これにより、接着剤１２２の厚みを厚くすることなくなく、中間部材１２０の中心と、コリメートレンズ５２の中心とを近づけることができる。その結果、中間部材１２０とコリメートレンズとの間の接着剤１２２（以下、光学系部品接着層という）の熱膨張による光学特性の変動を抑えることができる。ここで、中間部材１２０とコリメートレンズ５２との中心とを近づけることによる、効果を説明する。例えば、コリメートレンズの中心が、あるハウジング接着部側に寄っていた場合、このハウジング接着部を接着固定に用いると、位置調整後におけるハウジング接着部と台座７０１との距離が、中間部材１２０の中心とコリメートレンズ５２の中心とが合っていた場合に比べて離れる。その結果、ハウジング接着部と台座７０１との間に多くの接着剤を充填する必要があり、ハウジング接着部と台座７０１との間の接着剤１２３（以下、ハウジング接着層という）が厚くなってしまう。ハウジング接着層１２３が厚くなると、ハウジング接着層１２３の熱膨張量が多くなり、光書込ユニット４温度上昇時の光学特性の変動が大きくなってしまう。一方、中間部材１２０とコリメートレンズ５２との中心とを近づけることで、いずれのハウジング接着部１２１を、接着固定にもちいても、ハウジング接着部１２１と台座７０１との隙間が大きくなることがなく、ハウジング接着層１２３が厚くなるのを抑制することができる。
【００６８】
また、コリメートレンズ５２を中間部材１２０の内周部に軽圧入する方法では、コリメートレンズ５２のレンズ面に微細加工などが施されている場合、軽圧入による微細の歪みなどが発生する可能性がある。また、軽圧入する方法では、コリメートレンズ５２のレンズ面を傷つけないよう加工するために、工数、及び、設備が必要となる。
【００６９】
図１６は、中間部材１２０の内周面にコリメートレンズ５２を固定する機構の他の例であり、光軸方向入射面側から見た図である。また、図１７は、中間部材１２０の内周面にコリメートレンズ５２を固定する機構の他の例であり、光軸方向に平行な断面図である。
図１６に示すように、中間部材１２０の内周面には光学系部品挾持部（突起部）１２５が２箇所（１２５ａ、１２５ｂ）設けられている。また、２箇所の光学系部品挾持部（突起部）１２５ａ，１２５ｂは、光学素子の円周上で、かつ、光軸中心を通る弦（円周上の二点を結ぶ線分）に対して片側（図１５では下側）の円周上に配置されている。この２箇所の光学系部品挾持部（突起部）１２５ａ、１２５ｂで形成される円弧の中点Ａに対して、光軸中心として点対称となる位置Ｂの中間部材１２０の内周部を、コリメートレンズ５２に押し当てることができる押し当て手段としてのバネ形状１２６に形成する。この構成では、２箇所の光学系部品挾持部（突起部）１２５ａ、１２５ｂと、バネ形状１２６とがコリメートレンズ５２にコバ面に当接して、コリメートレンズ５２を挾持固定する。コリメートレンズ５２を挾持する３点のうちのひとつをこのようなバネ形状１２６で挾持することにより、中間部材１２０の中心軸と光軸とを、より精度よく一致させることができることに加え、コリメートレンズ５２のレンズ面を傷つけることなく、中間部材１２０に組付することが可能となる。
【００７０】
また、中間部材１２０のコリメートレンズ５２の位置決め部材を設けた構成としてもよい。図１８は、位置決め部材を設けた中間部材１２０とコリメートレンズ５２との斜視図であり、図１９は、位置決め部材を設けた中間部材１２０とコリメートレンズ５２と偏光子５０１の光軸方向に平行な断面図である。図１８、図１９に示すように中間部材１２０は、コリメートレンズ５２の位置決め部材として、光軸方向受面１２７を設けたものである。
図１８に示すように、光軸方向受面１２７は、中間部材１２０の光軸方向に対して垂直な側面から中間部材１２０の径の中心に向かって延設されており、円周方向３箇所に配置されている。そして、コリメートレンズ５２の光軸方向に対して垂直面である出射面または入射面をこの光軸方向受面１２７に当接させて、コリメートレンズ５２を中間部材１２０に保持させる。これにより、コリメートレンズ５２が、主走査方向（Ｙ軸方向）回り、副走査方向（Ｚ軸方向）回りに位置決めされる。
【００７１】
中間部材１２０に保持されたコリメートレンズ５２が、光軸方向受面１２７により、主走査方向（Ｙ軸方向）回りおよび副走査方向（Ｚ軸方向）回りに位置決めされることにより、次の効果を得ることができる。すなわち、コリメートレンズ５２を保持した中間部材１２０の筐体７０の接着座面７０１への取り付けの際のＹ軸方向回り、Ｚ軸方向回りの調整範囲を狭めることができる。これにより、中間部材１２０に保持されたコリメートレンズ５２の調整を容易に行うことができるという効果である。
【００７２】
また、図２０に示すように、光源４６とコリメートレンズ５２と偏光子５０１とを備えた光源ユニット２００のリサイクルにも、本発明を適用することができる。この光源ユニット２００は、筒状部２０１が形成されており、この筒状部２０１を光書込ユニット４のハウジング側面に設けられた貫通孔に嵌合せることで、ハウジングに取り付けられる。また、この光源ユニット２００は、不図示の調整ネジが取り付けられる調整部２０２を有しており、調整ネジでハウジングに対する光源ユニット２００の姿勢を調整できるようになっている。コリメートレンズ５２と偏光子５０１とを保持した中間部材１２０は、光源ユニット２００の筒状部２０１を仕切っている仕切り壁２０３に設けられた取り付け部２０３ａに接着固定される（図２０（ｂ）参照）。
【００７３】
光源４６に寿命などがきて交換された場合、上述と同様、中間部材１２０を取り付け部２０３ａから剥離し、前回とは異なるハウジング固定用接着座面を取り付け部２０３ａに対向させ、コリメートレンズ５２の位置及び姿勢調整と偏光子５０１の回転調整とを行った後、中間部材１２０を取り付け部２０３ａに接着固定する。これにより、光源ユニット２００を再利用することができる。また、仕様変更などによりこの光源ユニット２００が使用できる機種がなくなってしまった場合でも、この光源ユニット２００から中間部材１２０ごとコリメートレンズ５２と偏光子５０１とを取り外し、違う光書込ユニット４に用いることができる。
【００７４】
上述では、光源４６として面発光素子（ＶＣＳＥＬ）を用いた実施形態について説明したが、光源４６としてＬＤ（レーザーダイオード）や多チャンネルのＬＤアレーを用いてもよい。光源４６としてＬＤ（レーザーダイオード）や多チャンネルのＬＤアレーを用いた場合でも、偏光子５０１と光分割素子５０２とを設けることで、高価な面発光素子（ＶＣＳＥＬ）を用いた場合に比べれば効果を減少するが、光源数を低減でき、装置を安価にできるという効果が得られる。
【００７５】
上述では、コリメートレンズ５２と偏光子とを同一の中間部材１２０に保持した実施形態について説明したが、例えば、温度補償レンズなど光軸を中心にして回転させても光学特性に変動のない光学系部品と偏光子とを同一の中間部材１２０に保持した実施形態でも上述と同様な効果を得ることができる。
【００７６】
以上に説明したものは一例であり、本発明は、次の態様毎に特有の効果を奏する。
（態様Ａ）
光源４６と、光源４６から感光体などの照射対象物までの間の光路上に配置された光学系部品および偏光子５０１と、光源４６、光学系部品、偏光子を収納する第１筐体７０などのハウジングとを備えた光書込ユニット４などの光走査装置において、光学系部品が光軸を中心に回転させても光学特性が変化しないコリメートレンズ５２などの光学素子であり、光学系部品と偏光子とを保持し、ハウジングに固定される中間部材１２０などの保持部材を備えた。
かかる構成を備えることで、実施形態で説明したように、再利用時の調整作業を簡素化することができる。
【００７７】
（態様Ｂ）
（態様Ａ）において、光源４６として、面発光素子を用いた。かかる構成を備えることで、実施形態で説明したように、高解像度の印字が可能になるとともに、潜像担持体表面を走査する走査光を所望の光強度にすることができる。
【００７８】
（態様Ｃ）
(態様Ａ）または(態様Ｂ）において、上記保持部材はリング形状であり、内周面から突出し、上記光学系部品が接着固定される光学系部品接着部を備えた。
かかる構成によれば、上記実施形態について説明したように、保持部材に光学系部品を接着固定した状態で調整を行うことが可能となる。
【００７９】
（態様Ｄ）
（態様Ａ）、(態様Ｂ）または(態様Ｃ）の何れかにおいて、上記保持部材はリング形状であり、内周面から突出し、上記光学系部品の外周面に当接して該光学系部品を挟持する複数の光学系部品挾持部を備え、上記光学系部品挾持部は、上記光学素子の光軸中心を通る弦に対して片側となる円周上の２箇所に配置され、かつ、２箇所の光学系部品挾持部で形成される円弧の中点に対して光軸中心として点対称の位置に光学素子に押し当てるバネ形状１２６などの押し当て手段を設けた。
かかる構成によれば、上記実施形態について説明したように、保持部材の中心軸と光軸とが、より精度よく一致させることができる。また、光学素子のレンズ面を傷つけることなく、保持部材に組付けることが可能となる。
【００８０】
（態様Ｅ）
（態様Ａ）、(態様Ｂ）、(態様Ｃ）または(態様Ｄ）の何れかにおいて、上記保持部材は、上記偏光子が取り付けられるポリゴンミラー側端面１２４としての偏光子取り付け部を備え、偏光子取り付け部は、光軸方向に対して垂直な面である。
かかる構成によれば、上記実施形態で説明したように、偏光子を保持部材に組み付ける際に、光軸方向の位置決めを容易に行うことができる。
【００８１】
（態様Ｆ）
（態様Ａ）、(態様Ｂ）、(態様Ｃ）、(態様Ｄ）または(態様Ｅ）の何れかにおいて、上記保持部材は、上記光学系部品の光軸方向の長さよりも長い部分を備えた。
かかる構成によれば、上記実施形態で説明したように、中間部材１２０を光書込ユニット４から取り外して、一旦、机などに置いたとき、コリメートレンズ５２を保護する保護部として機能させることができる。
【００８２】
（態様Ｇ）
（態様Ａ）、(態様Ｂ）、(態様Ｃ）、(態様Ｄ）、(態様Ｅ）または(態様Ｆ）の何れかにおいて、上記保持部材の上記ハウジング接着部の表面積を、ハウジング接着部１２１が接着されるハウジング側の接着面の表面積よりも大きくした。
かかる構成によれば、上記実施形態に説明したように、保持部材をハウジングから剥離させたとき、保持部材のハウジング接着部１２１に接着剤を付着させることができる。よって、光源４６を交換した後、ハウジングから保持部材を剥離して、コリメートレンズ５２などの光学系部品の位置や姿勢の調整および偏光子の回転調整をした後、保持部材の前回とは異なる接着剤が付着していないハウジング接着部１２１をハウジングに接着固定するとき、ハウジングの保持部材が接着固定される接着座面７０１等の箇所には、前回の接着剤が付着していない。これにより、良好に、保持部材をハウジングに接着固定することができ、光書込ユニット４などの光走査装置の再利用を容易に行うことができる。
【００８３】
（態様Ｈ）
（態様Ａ）、(態様Ｂ）、(態様Ｃ）、(態様Ｄ）、(態様Ｅ）、(態様Ｆ）または(態様Ｇ）の何れかにおいて、上記保持部材を、紫外線透過率の高い材質で形成した。
かかる構成とすることで、保持部材を介して紫外線硬化型の接着剤に紫外線を照射することができ、容易に保持部材を筐体に固定することができる。
【００８４】
（態様Ｉ）
潜像を担持する感光体１０などの潜像担持体と、光走査によって潜像担持体の表面に潜像を形成する光書込ユニット４などの光走査手段と、潜像担持体に担持された潜像を現像する現像装置１２などの現像手段とを備える画像形成装置において、上記光走査手段として、上記（態様Ａ）乃至（態様Ｈ）いずれかに記載の態様の光走査装置を用いた。
かかる構成を備えることで、リサイクル・リユース性の高い画像形成装置を提供することができる。
【符号の説明】
【００８５】
４：光書込ユニット
１０：感光体
１２：現像装置
４１：ポリゴンミラー
４６：光源
５２：コリメートレンズ
５３：シリンドリカルレンズ
７０：第１筐体
１２０：中間部材
１２１：ハウジング接着部
１２４：ポリゴンミラー側端面
１２６：バネ形状
１３０：挾持部
１４０：チャック部材
５０１：偏光子
７０１：台座
【先行技術文献】
【特許文献】
【００８６】
【特許文献１】特開２０１０−１７６１１８号公報
【特許文献２】特開平９−２８８２４４号公報
【図１】
2014059337.tif 000003
【図２】
2014059337.tif 000004
【図３】
2014059337.tif 000005
【図４】
2014059337.tif 000006
【図５】
2014059337.tif 000007
【図６】
2014059337.tif 000008
【図７】
2014059337.tif 000009
【図８】
2014059337.tif 000010
【図９】
2014059337.tif 000011
【図１０】
2014059337.tif 000012
【図１１】
2014059337.tif 000013
【図１２】
2014059337.tif 000014
【図１３】
2014059337.tif 000015
【図１４】
2014059337.tif 000016
【図１５】
2014059337.tif 000017
【図１６】
2014059337.tif 000018
【図１７】
2014059337.tif 000019
【図１８】
2014059337.tif 000020
【図１９】
2014059337.tif 000021
【図２０】
2014059337.tif 000022